(57)【要約】　　　（修正有）【課題】化石燃料の燃焼によって生成する物質を保持し、二酸化炭素の生成を減らし、併せてガス濾過を行い、最終生成物として酸素を放出する。【解決手段】ＳＯｘ、ＮＯｘ、ＨＣ、ＣＯおよびＣＯ２ならびに粒状物質を含有する燃焼排ガスを、蒸留水、重炭酸ナトリウムおよび尿素を含む液体よりなるガス洗浄チャンバー１に導入して接触させて前記排出物の総量を減らし、酸素を大気中に放出する。続いて、炭素の存在下、化学的に反応するポリマー性炭化水素繊維から構成される第１濾過要素２及び第２濾過要素３で処理し、デバイス内で固体成分および炭化水素の大部分を保持し、酸素に富み、元の流出物に含まれていたよりも非常に少量の残留ガスおよび粒状物を含むガス流出物を大気中に戻す。【選択図】図１
2004034018.tif 000002
【特許請求の範囲】
【請求項１】
化石燃料、石油およびその副生物から生じるガスおよび生成物によってもたらされる汚染を減少させる、以下のことを特徴とする化学的−機械的プロセス：
燃焼からのガスを、蒸留水、重炭酸ナトリウムおよび尿素を含んで成る化学物質の溶液に通すコンテナまたは機械的デバイスを使用すること、
重炭酸ナトリウムおよび尿素の濃度は、それぞれ５〜８体積％であること、
それによって生成するガスは、次に、ポリマー性炭化水素でできた繊維によって濾過すること、
このプロセスによって、燃焼によって生じるガスおよび粒状物、例えばＣＯ、ＮＯｘ、ＳＯｘおよびＨＣならびに非汚染性ガス、例えばＣＯ２の発生が減少し、また、プロセスから生じるガスとしてＯ２が放出されること、
このプロセスは、全体としてガス洗浄およびフィルターコンテナまたはデバイス（２またはそれ以上の段階で実施する）で実施してガスを浄化すること、
第１段階は、洗浄段階に相当し、そこでは、ガスを化学物質の溶液と接触させて流出物が含むより大きい粒子を保持する必要な洗浄を実施して、炭素粒子の燃焼を止め、初期フェーズにおいてＳＯｘをＨ２ＳＯ４に変換し、最終的に、Ｎａ２ＳＯ４に変換するプロセスを開始すること、
ＮＯｘ、ＨＣおよびＣＯならびにＣＯ２は、ＮＨ２−ＣＯ−ＮＨ２との化学反応によって沈降させ、それによって、反応の初期フェーズでＮ２、Ｈ２ＯおよびＨ２ＣＯ３をもたらし、引き続いてＣＯ３炭酸イオンを生成すること、
第１濾過デバイスによる第１濾過は、より小さい粒子を保持し、そこでは、このフィルターは洗浄デバイスに存在する化学物質溶液を含むので、上述の洗浄デバイスにおける化学反応が継続するが、繊維が炭化水素に富むので、炭素は繊維を通過する第１濾液に捕捉されること、
第２またはその後の濾過デバイスを使用する第２またはその後の濾過の段階では酸素が放出され、二酸化炭素の濃度を減らす効果を向上させるが、この場合に、第１濾過が炭素および炭化水素を捕捉するのと同様であること。
【請求項２】
請求項１に記載の石油およびその副生物ならびに／または化石燃料の燃焼から生じるガスの洗浄および濾過デバイスであって以下のことを特徴とするデバイス：
ガスの浄化を３段階（より大きい粒子を保持するために必要な第１洗浄を実施する洗浄デバイスによる洗浄、より小さい粒子を保持する第１濾過デバイスによる第１濾過、および大気中に排出する炭化水素を保持する第２濾過デバイスによる第２濾過）で実施すること、
デバイスは、フィルター飽和およびレベルコントロールシステム、ならびに流体を循環して濾過し、ガス洗浄および浄化の３段階で溶液内に前もって捕捉されている懸濁沈降物を捕捉する溶液再循環システムを備えること。
【請求項３】
請求項２に記載の洗浄デバイスであって、以下のことを特徴とする：
ガスは洗浄チャンバーに入り、そこでは、洗浄タンクの底部にガス全体が到達するのを防止する目的に適合する多くのより小さい流れにガスを分配する要素を端部に有するダクトまたはパイプを通ってガスはチャンバーに入ること、
その要素は、ガスを種々の小さい流れに分割して、大きな気泡が生成することを避け、コンテナ内で調和してガスを分配すること、
洗浄チャンバーは、２またはそれ以上の平坦または円錐状の穴をあけたセパレーターを有して成り、これらは、それぞれに形成された穴を通過することによって、ガスの流れを多くのより小さいガスの流れに分割するように用いられること、
セパレーターの穴は、チャンバー内で化学物質の溶液とのガスの接触を増やすように、整列しておらず、それによって、ガスと溶液との間で最大限の内部乱れ（乱流）がもたらされること、
平坦でも、球形でもない形状の複数の不規則な形状の浮遊ボディが、溶液に加えて、懸濁液中にて循環し、この目的は、ガスがその表面に当たって細かくなって、種々の角度で流れるようにし、それによって、重い粒子が表面に当たる可能性を増やし、従って、ガスの良好な洗浄の可能性を増やすこと、
このデバイスにおいて最大限の量の粒子、特に最大寸法のものを捕捉しようとすること。
【請求項４】
請求項１および２に記載の第１濾過デバイスであって、
有効寿命の後で交換可能である、ポリマー性炭化水素でできたフィルター要素を使用すること、
この段階において、要素は、大量のプレスされたポリマー性炭化水素を含み、粒状物の濾過を行なうこと
を特徴とするデバイス。
【請求項５】
請求項１および２に記載の第２濾過デバイスであって、
請求項４と同様に、ポリマー性炭化水素でできたフィルター要素を使用すること、
第２段階において、主として化合物含有懸濁炭化水素を捕捉する容量を向上させるように、材料はゆるく配置されていること
を特徴とするデバイス。
【請求項６】
フィルター要素は、最初の要素が炭化水素で飽和すると、交換可能である請求項４および５に記載のデバイス。
【請求項７】
デバイスを装着した乗物の運転手またはモーターのオペレーターが、フィルターの飽和の程度および作動溶液のレベルを知ることができるようにするコントロールの他の要素を含む、請求項１および２のデバイス。
【請求項８】
請求項１および２のデバイスであって、以下のことを特徴とする：
３つのガス洗浄および濾過段階の間で化学物質の溶液を再循環させるサーキットに装着された追加の濾過システムによって洗浄および濾過段階でたまった沈殿物を濾過して集め、システムのメンテナンスまでこの沈殿物を保持できるようにし、最終的には、これを処分すること、
これによって、現在は大気中に排出して環境を害している物質を処理できること。
【請求項９】
請求項１、２、４および５に記載の化学的−機械的プロセスであって、以下のことを特徴とする：
重炭酸ナトリウムおよび尿素を含む溶液と燃焼から生じるガスとの間で起こる第１反応の結果物と反応できるポリマー性炭化水素でできたフィルターを使用すること、
このポリマー性炭化水素は、ＣＯ３イオンと石油、その副生物ならびに他の化石燃料およびその副生物の燃焼から生じる炭化水素と反応できる炭化水素吸収剤の性質を有すること、
このポリマー性炭化水素は、基本的には水素を含む化合物から成り、環境に優しい親油性のリサイクル可能材料であること。
【請求項１０】
蒸留水、重炭酸ナトリウムおよび尿素を含む溶液を使用し、後者の２成分のの濃度はそれぞれ５〜８体積％であることを特徴とする請求項１に記載の化学的プロセス。
【請求項１１】
ガスが化学物質溶液と相互作用でき、そのようにして、ガスの洗浄を実施するデバイスまたはコンテナを使用することを特徴とする請求項１、２、３および９に記載の機械的プロセス。
【請求項１２】
洗浄段階の後、ポリマー性炭化水素でできた繊維を主材とする濾過システムのデバイスまたはコンテナを１または複数の濾過段階で使用し、必要な段階の数は、炭化水素の減少の割合に応じて選択することを特徴とする請求項１、２、４、５および９に記載の化学的−機械的プロセス。
【請求項１３】
ポリマー性炭化水素繊維の炭素の一部分が吸収される場合、石油、その副生物、および他の化石燃料の燃焼から生じるガスの後洗浄および濾過の結果としての後燃焼から生じるガスとしてより多くの酸素（Ｏ２）を放出することを特徴とする請求項１、２、３および９に記載の化学的プロセス。
【請求項１４】
洗浄および第１濾過タンクにおいて（ＮＨ２）２ＣＯと反応した場合、石油、その副生物、および他の化石燃料の燃焼から生じる窒素酸化物（ＮＯｘ）の発生を減らし、より多くの大気性Ｎ２を大気中に放出することを特徴とする請求項１、２、３および９に記載の化学的プロセス。
【請求項１５】
石油、その副生物、および他の化石燃料の燃焼から生じる硫黄酸化物（ＳＯｘ）の発生を減らし、これらの発生物の一部分を最終生成物である硫酸ナトリウム（Ｎａ２ＳＯ４）に変換することを特徴とする請求項１、２、３、４および１０に記載の化学的プロセス。
【請求項１６】
石油、その副生物、および他の化石燃料の燃焼から生じる揮発性炭化水素（ＨＣ）の発生を相当減らすことを特徴とする請求項１、２、４、５および１０に記載の化学的プロセス。
【請求項１７】
粒状物を含むガスの洗浄および引き続くガスの濾過によって、通常は環境に排出される燃焼により生じる粒状物の大部分を捕捉することを特徴とする請求項１、２、３、４および５に記載の機械的プロセス。
【請求項１８】
紫外太陽光線に当たると、対流圏においてオゾンを生成する揮発性炭化水素およびＮＯｘの一部分を、吸収により減らすことによって、オゾンの生成を減らすのを助長することを特徴とする請求項１、３、４、５、７、９、１０、１４および１６に記載の化学的−機械的プロセス。
【請求項１９】
生成沈降物およびポリマー性炭化水素繊維によって捕捉される物質は、人により処理可能であり、沈降物は肥沃にする要素または元素であり、その要素の物質は、熱処理の後、オイル６に変換可能であり、汚染を停止して人に優しい要素を得ることを特徴とする請求項６および８に記載のプロセス。
【発明の詳細な説明】
【０００１】
【発明の属する技術分野】
本発明の適用分野は、化石燃料、例えば石油およびその副生物の燃焼によって生じるガスによって起こる環境汚染のコントロールに関する。
【０００２】
【従来の技術】
近年、触媒コンバーターと呼ばれる、汚染の一部分をコントロールできるに過ぎないデバイスがあるが、これは、それを通過するガス流出物中のある成分の酸化物を生成し、生物に非常に有毒なある種のガス、例えばＣＯをやさしい化学成分、例えばＣＯ２に変換することによって作用する。尚、ＣＯ２は、最近では地球に生じる温室効果の主因である。
【０００３】
自動車で使用される触媒はドライの状態である。ガスは、ロジウムまたは白金によって一般的にメッキされた格子状物を通過する必要がある。ガス機関が広くまた大規模に使用されているが、機関の運転温度のために、自動車において触媒は一般的に作用しないディーゼル機関についてはこれは起こらない。この場合において燃焼による汚染を止める試みを多くの人が試みたが、今日まで決定的な結果は得られていない。しかしながら、触媒はある種のガスの発生を減らすが、他に効果はなく、また、有害なＣＯをＣＯ２に変換することに着目する必要があり、これは、人間が大気に放出する過剰のＣＯ２の問題を解決するのを助けるものではなく、また、粒状物を内部に保持することもできない。
【０００４】
この化学的−機械的プロセスにおける化学物質溶液の存在によって、容器またはガス洗浄−濾過デバイスにおいて燃焼ガスの洗浄が可能となるが、デバイスの濾過要素は、そのようなガスからの流出物を全体として減らすポリマー性炭化水素であり、燃焼によって生じるＣＯ２を減らし、また、本明細書で説明するもののようなガス洗浄デバイスを使用するようなシステムに入ったもの量より多い量の後−濾液酸素を放出する。この化学的−機械的プロセスは、油およびその副生生物の燃焼によって生成するガスを排出するいずれの移動可能または静止ソースにも装着できる。油、その副生物および他の化石燃料の燃焼によって生成する汚染物質の全てを保持でき、二酸化炭素の生成も減らし、また、同時にガス濾過および洗浄プロセスの最終生成物として酸素を放出する発明の特許出願は見当たらない。
【０００５】
そのような効果を達成するために、可動装置で使用されている、または特許されている油または他の化石燃料の燃焼で生じる二酸化炭素を減らすことができる類似の方法も今のところ知られていない。これに関して入手可能な唯一の情報は、零下約５６℃にて起こる二酸化炭素の液化を達成する燃焼ガス冷却プロセスにある。この成分は、液体状態に変換され、パイプによって輸送され、北海の空の油井に注入される。これは、静止装置においてのみ可能である。
【０００６】
二酸化炭素を消費する主たる既知のプロセスは、光合成の自然プロセスであり、このガスの一部分を補足する海洋においても他のプロセスが起こっている。しかしながら、この後燃焼ガスの排出を相当減らし、また、可動または静止ソースで使用する産業的用途を有する、人が発明したシステムの記録は見当たらない。
【０００７】
説明するプロセスは、乗物の機関の燃焼によって生成する二酸化炭素の生成を直接コントロールすることができる。このガスは、我々の呼吸の自然の産物であり、汚染しないと考えられている。しかしながら、これは地球の「温室効果」を引き起こすガスの一つである。今や、このガスの６５％以上が輸送のための乗物に装着された機関によって生成することを知ることが重要である。
【０００８】
主として、産業活動によって生じる５種類のガスの発生の結果として地球温室効果が諸国民に警告されている。１９９７年の京都における諸国民の会議では、発生ソースの数を減らすことによって、このガスの発生を減らすプロジェクトが提起された。ＣＯ２生成の割当が決められ、より多くのＣＯ２を発生する国はより少ないＣＯ２を発生する邦から割当を購入し、このガスの大発生国の努力を平均化して発生を最大限に減らすことが企画された。しかしながら、この問題点を解決する技術が無いので、生成容量が減った場合には、経済に与える影響が大きいという理由で、このガスの最大の発生国の１つであるアメリカ合衆国がこの条約に署名することを拒んだことは誰もが知るところである。、
【０００９】
地球にとって、気候の変化は誰にも計り知ることができない非常に深刻な問題である。１９００年、二酸化炭素の濃度は２８５ｐｐｍであった。２０００年には３７５ｐｐｍであった。大気中におけるこのガスの濃度のそのような爆発的な増加は、地球の平均気温の変化を引き起こしている。今と同じ割合で濃度が増加し続けると、過去１００年で気温が０．８℃上昇し、地球の平均気温は２１００年には４．５℃上昇すると推定されている。その重大性は計り知れない。ハリケーンおよび台風の数が増加し、豪雨が洪水をもたらし、陸地を蝕む雨によって農地は荒廃している。これらは全て気候の変化によって起こり、その変化の主たる原因の１つは二酸化炭素である。
【００１０】
チリ国において過去に認められた産業特許が存在し（特許第３５８１３号および３４０２６号）、これらは、同じ技術的問題（内燃機関によって生じる燃焼ガスの発生をコントロールすること）を解決しようとしているが、これらの特許は全て粒状物をコントロールする試みである。ガスの化学組成における変化を条件とするものではない。しかしながら、チリ国または世界中で認められた特許発明のいずれもが、排気触媒を除いて使用されていない。
【００１１】
【発明の概要】
生じるガスの最終化学組成を変え、ガス：流出物を構成するＳＯｘ、ＮＯｘ、ＶＯＶまたはＨＣ、ＣＯおよびＣＯ２および粒状物の総量を減らし、後燃焼で生じるものより多くの量の酸素を大気中に放出することによって、化石燃料、石油およびその副生物の燃焼によって生じる汚染物質を減らす化学的−機械的プロセスである。このプロセスでは、液体化学物質溶液が介在し、それは、蒸留水、重炭酸ナトリウムおよび尿素を含んで成り、機械的デバイスがそれを含み、この溶液が燃焼からのガスと接触できるようにしてそれを洗浄し、機械的デバイスの一部分である１または数個の濾過要素は、炭素の存在下で化学的に反応するポリマー性の炭化水素繊維から構成され、これは、内燃機関、ボイラー、スタック、静止または可動ソースで生じる有害ガスの連鎖反応をもたらし、その発生を減らし、また、多くの固体成分および炭化水素のデバイス内に保持し、ガス流出物を、酸素に富み、元の流出物に含まれていたよりも少ない量の残存ガスおよび粒状物を含むガスを大気中に戻す。
【００１２】
【発明の説明】
本明細書において説明する発明は、完全な化学的−機械的プロセスであり、そのプロセスにおいて、化学物質溶液およびポリマー性炭化水素が化学プロセスを実施するように介在し、機械的要素としてのガス洗浄および濾過コンテナでは、反応が自然に起こり、化石燃料、石油およびその副生物の燃焼からのガスの化学反応を引き起こし、周囲の対流圏に有害なガスの発生を減らす。また、他の２つに関する排出量、二酸化炭素の減少および放出する酸素量の増加に関して良い効果がある。
【００１３】
燃焼からのガスは、重炭酸ナトリウムおよび尿素（双方とも濃度は５〜８体積％）を加えた蒸留水から構成される溶液中で洗浄される。濃度は変えてもよく、燃料に含まれる硫黄の量に大きく依存する。ガス流出物はその後でポリマーせい炭化水素繊維から構成されるフィルターに通す必要がある。
【００１４】
このプロセスは、燃焼から生じる生成物およびガスのそれぞれが種々の過程を経る連鎖反応を実施するこれらの要素の全てによってのみ可能となり、生成物および燃焼によって生じるガスのそれぞれは、種々の過程を経て、汚染物質の一部分を捕捉することが可能となり、また、それ以外のものは人間に有用な生成物に変換される。粒状物を濃縮し、それによって、ＮＯｘの一部分の変換を行なう、人および周囲の環境には本来のものである大気窒素Ｎ２を発生し、プロセスは、デバイス内でＳＯｘを化学的に沈降させることによってＳＯｘをコントロールできる。ＨＣおよびＣは吸収され、ＣＯおよびＣＯ２が減り、これらのガスの濃度がより小さく、酸素Ｏ２のレベルが高いガス流出物を得ることができる。
【００１５】
本明細書に記載のプロセス（または方法）は、実験室規模のテストにおいて試験済みであり、このプロセスによって有害な発生物および粒状物は、燃焼後、機関（またはエンジン）を出る元のガス流出物の８０％の範囲で減少することを確認した。この値は、機関の出力、作動負荷および回転数に直接依存するので、必ずしも正しいものではない。換言すれば、その値は、処理すべきガスおよびプロセスを実施するデバイスのサイズの関数である。
【００１６】
本発明のプロセスは、ガス洗浄および濾過デバイスで実施する。このプロセス（図１）を実施するために発明したこのデバイスは、２つのサーキット（または回路）を有して成り、これらは、部分的に相互作用する。第１の流れのサーキットは、ガス洗浄および濾過サーキットであり、第２サーキットは、化学物質の溶液の浄化サーキットである。第１の流れサーキットは、３つのユニットまたはチャンバー（１）、（２）および（３）から成り、これらは、相互に独立しており、製造の容易性のため円筒状であるのが好ましい。これらは種々の形状およびサイズで製造してよく、第１ユニット（１）および第２ユニット（２）において溶液カラムとなるように設計され、洗浄および濾過材料を湿らせるようになっている。洗浄すべきガスの体積および圧力の制限は、各排気システムの設計によって与えられる。チャンバー（３）は、第２濾過要素に対応する。このチャンバーは、ドライまたはウエット状態で操作してよい。これらの３つのチャンバーに、化学物質の溶液の流れのサーキットを加え、これは、ユニットの１つまたは２つにおける化学物質の溶液のレベルを維持するように機能する化学物質の溶液タンク（４）、チャンバー（１）〜（３）から溶液の一部分を取り出す溶液再循環システムを含んで成り、このシステムは、１またはそれ以上のポンプユニットおよび汚染溶液濾過システムを有して成り、濾過システムは、溶液からそれによって捕捉された物質を取り出し、溶液を浄化サーキットの溶液に戻し、そして、それを洗浄および濾過チャンバーに戻す。
【００１７】
ガスの流れサーキットを分析すると、以下のことが判る：
１．第１ユニットは、ガス洗浄チャンバー（図２）に対応し、そこでは、ガスは、水中を通過し、化学物質の溶液とガスとの間で接触が増えるように、内的な乱れを形成する幾つかの障害物を通過する。
【００１８】
２．第２ユニットは、第１濾過ユニット（図３）に対応する。濾過は、ガスが、ポリメリック・ハイドロカーボン（Ｐｏｌｙｍｅｒｉｃ　Ｈｙｄｒｏｃａｒｂｏｎ、ポリマー性炭化水素、この主たる特徴は炭化水素を吸収することである）の幾つかのセクションを通過する際に行なわれる。この材料は、金属もハライドも含まず、１／３２５インチまでのガス中の粒状物を濾別する能力を有する。この材料は、紫外太陽光が当たると、オゾン発生の原因をもたらすＶＯＣ（Ｖｏｌａｔｉｌｅ　Ｏｒｇａｎｉｃ　Ｃｏｍｐｏｕｎｄｓ、揮発性有機化合物）を吸収できる。この材料を使用すると、大気中への粒状物質の排出を減らすだけでなく、オゾンのような他の化合物が生成する可能性を減らす。この濾過ユニットは、飽和状態になると、交換可能な濾過要素であるだけでよい。このシステムにおける溶液の再循環システムをこのフィルターに加え、ポリマー性炭化水素を湿潤状態で保持した。更に、出るガスと向流で流れるので、ポリマー性炭化水素を浄化するのを助け、重い粒子をフィルターの底部に沈降させる。
【００１９】
３．第３ユニット（図４）は、第２フィルターに対応し、これは、同じ炭化水素吸収材料の２またはそれ以上のセクションを有して成る。これは、上述のものと同様な濾過要素であり、製造の制限事項は、可動要素の構造およびフィルターを装着するのに利用できるスペースに対して直接関係がある。
【００２０】
デバイスの第２サーキットは以下のものを有して成る：
４．溶液保持タンクシステム。
【００２１】
５．洗浄ユニットおよび濾過ユニットの汚染溶液を取り出して、それを濾過システムに送る溶液ポンプ輸送システム。
【００２２】
６．溶液によって捕捉された粒状物を保持して、浄化溶液をサーキットに戻す濾過システム。
【００２３】
７．溶液の正確なレベルをチャンバー内で維持できるようにする電気レベルコントロールシステム。
【００２４】
１．ガス洗浄ユニット
このユニットは、ガス洗浄チャンバー（図２）から成り、そこでは、ガスは、円筒状（１）を経由してタンクの底に達し、その導管は、乗物の元のガス導管より直径が大きく、十分な穴を有する半球（２）で終端し、乗物の製造者によって装着された元のダクトにおけるより小さい速度でガスが通過するようになっている。この端部が半球状であり、穴を有する理由は、ガスの比較的均一な分配を達成し、また、底に垂直に当たるのを避けるためである。そのように放出されたガスは、化学物質溶液を含むタンク内を通過し、自然と上昇して鑽孔した円錐状表面（３）に直面する。このコーンは、種々の穴の方向を有し、それによって、ガスが自然に上昇し、上述と同様の特徴を有するが、最初のコーンと整列していない穴を有するもう１つのコーンに当たった後、表面に達する。
【００２５】
コーンの穴は直径が異なり、中央から最も遠い穴はより大きく、他方、中央に近い穴はより小さい。最も大きいものは１３ｍｍであり、最も小さいものは６ｍｍである。唯一の目的は、ガスをコーンの外に向かって移動させ、それによってガスの均一な分配を達成し、ガス洗浄を十分にすることである。穴の直径は、発明の作用を科学的および物理的に確認する、幾つかの実験を実施するプロトタイプの装置に対応する。これらの穴の直径は、洗浄すべきガスの用途および体積に基づいて変えてよく、理想的な寸法は同じである。
【００２６】
このユニットは、タンクからの化学物質溶液の自動的なリフィルを行なう、化学物質溶液レベルコントロールシステムを含み、タンクは、溶液を受容するスプリンクラーを有する。タンクの底に溜まり、重い粒状物を含む液体をタンクの外で再循環して沈降フィルターに送るシステムが存在する。
【００２７】
幾つかの不規則な形状の浮遊ボディ（４）が、コーンの間およびタンクの底部、コーンの間に、また、その表面に存在し、表面へのガスの通常の流れを阻害して、タンク内で水とガスがより接触するようにする。それによって、より大きい粒子を保持する容量が増加する。これらの浮遊ボディは、コーンの穴を通過するガスの流れをじゃまするのを抑制するために、球状または平坦であってはならない。
【００２８】
ガスが鑽孔円錐状面を一旦通過したら、ガスは上方面に向かって上昇し、第２ユニットに移る。
【００２９】
種々の形状および内部構造の洗浄ユニットを使用してよい。重要なことは、生じるガスと化学物質溶液との間の相互作用を最大限とすることであり、それによって、このチャンバー内で化学物質溶液が可能な限りにおいて最大量の粒状物を含み、この物質が要素に達することを抑制し、これらの要素に最大限の有効寿命を達成する。
【００３０】
２．第１濾過ユニット
第２ユニット（図３）は、円筒状または別の形状であり、２つのチャンバーに分割されるデポジットから成り、下方チャンバー（２）は、鑽孔ダクト（１）を経由して第１ユニット「洗浄ユニット」からガスが入るチャンバーであり、上方チャンバー（６）は、排気ガスが出るチャンバーである。フィルター要素がこれらの２つのチャンバーを接続し、これは、ポリマー性炭化水素から構成されている。この材料は、炭化水素を保持するように特に構成されたものであり、意図する目的に応じて、種々の密度で種々の層の形態で要素に配置される。材料３の第１および最後の層は、より細かい粒子を保持できるフィルターの織物となるようにプレスされており、他方、中間領域（４）にはより多孔性状態の材料が配置され、その材料の特定の性質を使用できるようになっている。このような条件下で炭化水素を吸収できる大きい能力を有するからである。
【００３１】
プレスされた要素およびゆるい材料のセクションの双方は、好ましくは水没している必要があり、これらが作用するキャパシティが最適となる。それは、これが、材料が一般的に機能する方法であるからである。この材料は水を吸収せず、油および炭化水素を含む生成物のみを吸収する。
【００３２】
これまでに知られている従来の発明との大きな相違点は、この材料に関し、これは、水中に存在する炭化水素を給するする性質を有する。要素のサイズは、各用途に必要なキャパシティをもたらす。機関が大きいほど寸法が大きい。濾過要素の寿命は、機関のサイズおよびそれを装着するユニットのサイズならびに機関の機械的条件に直接比例する。有害ガスの量が多いほど、要素の寿命が短い。
【００３３】
材料は水を拒絶し、従って、フィルターが容易に飽和状態になる心配はない。この材料は、今日知られている他の材料とは明らかに異なるように水に対して挙動する。
【００３４】
この材料は、ここで用いる場合と異なる他の目的のために生み出された。これはリサイクル可能であり、環境に有害ではない。それは、一旦油、石油またはその副生物によって飽和状態になると、他の産業上の用途に使えるからである。この材料は１ｋｇ当たり、２５ｋｇの油、石油またはその副生物を吸収できる。
【００３５】
３．第２濾過ユニット
このユニット（図４）は、先と同様に、２つのチャンバーを有して成る。下方のもの（１）は、第１濾過ユニットの下方部分からのガスが到着するチャンバーであり、上方チャンバー（２）は、ガスが大気中へ出るチャンバーである。濾過要素は、これらのチャンバーの間に装着する必要がある。濾過要素は、吸収材料の種々のグループから成り、それぞれは、独立した個々の要素プレスされた層（３）およびゆるい（または多孔性）層（４）を構成し、これらはスクリーン（５）によって分離され、完全にゆるく圧縮されていない場合、炭化水素が最もよく吸収されて材料が圧縮されるのを防止する。
【００３６】
このユニットは、構造が最も簡単であり、第２ユニットの一体部分であるか、ここで説明するように別のユニットであってよい。（接触面積を増やす）材料の作用の理由のため、好ましくは、構造において、下方部分からガスが入り、上方部分から出るようにして、材料と接触することなくガスが通過するのを避ける構造を確立するのが重要である。この第２フィルターは、第１フィルターからやって来る水分に対してのみ作用するので、このユニットの形状の設計は、自動車において使用可能なスペースに対する関係に専ら留意する必要がある。ガスと材料との間の接触面積は可能な限り大きい必要があることが重要であるだけであり、ガスが吸収材料を通過するスピードが減少し、それによって、有害要素のより大きい吸収が達成される。
【００３７】
４．溶液サーキット
このデバイスが完全に作動するために（図１）、溶液タンク（４）には、夫々のバルブ（５）が設けられ、レベルコントロールシステム（８）は、第１濾過ユニットおよび洗浄ユニットにおいて液体の必要なレベルを維持する目的で、この要素を含む２つのタンクの各々にこのシステムから溶液を自動的に注入する。このシステムには、溶液レベルが低過ぎる場合に運転手に知らせる電気デバイスを設けることができる。
【００３８】
本発明は、洗浄ユニットおよび第１濾過ユニットで溶液を循環させる溶液ポンプ輸送システム（６）ならびに洗浄（７）から生じる沈降物を集めるフィルターを更に有してよく、それによって、内在的によりきれいな環境でより大きい有効寿命を有する作動システムをもたらす。粒状物の沈降物は、最終的にはこのフィルター（７）で捕捉され、それは、システムのメンテナンスの時に時々処分することができる。
【図面の簡単な説明】
【図１】図１は、本発明のプロセスの態様を模式的に示す。
【図２】図２は、第１ユニットとしてのガス洗浄チャンバーを模式的に示す。
【図３】図３は、第２ユニットとしての第１濾過ユニットを模式的に示す。
【図４】図４は、第３ユニットとしての第２濾過ユニットを模式的に示す。
【図１】
2004034018.tif 000003
【図２】
2004034018.tif 000004
【図３】
2004034018.tif 000005
【図４】
2004034018.tif 000006
【外国語明細書】
2004034018.tif 000007
2004034018.tif 000008
2004034018.tif 000009
2004034018.tif 000010
2004034018.tif 000011
2004034018.tif 000012
2004034018.tif 000013
2004034018.tif 000014
2004034018.tif 000015
2004034018.tif 000016
2004034018.tif 000017
2004034018.tif 000018
2004034018.tif 000019
2004034018.tif 000020
2004034018.tif 000021
2004034018.tif 000022
2004034018.tif 000023
2004034018.tif 000024
2004034018.tif 000025
2004034018.tif 000026